(57)【要約】
【課題】　自動洗剤ディスペンサーのケースの提供。
【解決手段】　ネジ孔を具えた固定座と上蓋を具えたディスペンサー本体を具え、固定座の底部に係止片が設けられ、上方に凹部が設けられ、且つ凹部の上縁にストッパ板が設けられ、該凹部の適当な位置に係止孔が設けられ、本体は箱形体とされ、背部の適当な位置にＴ形柱が設けられ、背部の下方に係止溝が設けられ、上蓋の後端に突出するリブが設けられて該リブが固定座の凹部に挿入されてストッパ板の内縁に当接可能で、上蓋の周側にストッパ縁が設けられ、該ストッパ縁の前端位置にロック孔が設けられ、その間にロックヘッドが設けられる。
【選択図】　　　　図２
0003100367.tif 000002
【実用新案登録請求の範囲】
【請求項１】
　ネジ孔を具えた固定座と、上蓋を具えたディスペンサー本体を具えた自動洗剤ディスペンサーのケースにおいて、
　該固定座の底部に係止片が設けられ、上方に凹部が設けられ、且つ凹部の上縁にストッパ板が設けられ、該凹部に係止孔が設けられ、
　該ディスペンサー本体は箱形体とされ、背部の適当な位置にＴ形柱が設けられ、背部の下方に係止溝が設けられ、
　該上蓋の後端に突出するリブが設けられて該リブが固定座の凹部に挿入されてストッパ板の内縁に当接可能で、該上蓋の周側にストッパ縁が設けられ、該ストッパ縁の前端位置にロック孔が設けられ、その間にロックヘッドが設けられたことを特徴とする、自動洗剤ディスペンサーのケース。
【請求項２】
　請求項１記載の自動洗剤ディスペンサーのケースにおいて、ディスペンサー本体の上蓋の下縁にリブの係止に供される凸係止ブロックが設けられたことを特徴とする、自動洗剤ディスペンサーのケース。
【請求項３】
　請求項１記載の自動洗剤ディスペンサーのケースにおいて、固定座の係止孔の上部に喇叭口が設けられたことを特徴とする、自動洗剤ディスペンサーのケース。
【請求項４】
　請求項１記載の自動洗剤ディスペンサーのケースにおいて、固定座の係止片に弾性片状の係止突起が設けられたことを特徴とする、自動洗剤ディスペンサーのケース。
【請求項５】
　請求項１記載の自動洗剤ディスペンサーのケースにおいて、固定座の中央に凹溝が設けられ、ネジ孔が該凹溝中に設けられたことを特徴とする、自動洗剤ディスペンサーのケース。
【請求項６】
　請求項１記載の自動洗剤ディスペンサーのケースにおいて、ディスペンサー本体の内部の上方に嵌め部が設けられて、該嵌め部に内蓋が嵌め込まれたことを特徴とする、自動洗剤ディスペンサーのケース。
【考案の詳細な説明】
【技術分野】
【０００１】
　本考案は一種の自動洗剤ディスペンサーのケースに係り、特に、固定座、ディスペンサー本体、及び上蓋が相互に組み合わされ挿嵌された設計とされ、良好な盗難防止と防水機能を具えた、自動洗剤ディスペンサーのケースに関する。
【背景技術】
【０００２】
　周知の自動洗剤ディスペンサーのケースは、本体７０、及び壁に釘で固定するための固定座８０を具え、該本体７０は底層に伝動構造を具え、上層が液状洗剤収容部とされ、上部に蓋体７２が枢設され、本体７０の背部のやや下方に係止溝７１が設けられている。固定座８０は本体背面よりも小さい板体とされ、周囲に複数のネジを通すためのネジ孔８２が設けられ、中央に係止板８１が設けられている。
【０００３】
　使用時には、固定座８０をネジ孔８２を利用し、ネジで壁に固定し、洗剤を入れた本体７０をその後方の係止溝７１で固定座８０の係止板８１に係止させて両者を結合させる。
【０００４】
　このような周知の構造は以下のような欠点を有している。
　１．洗剤を入れる本体７０と固定座８０の間に特別なロック装置がないため、本体７０が固定座８０より取り外されて盗まれることがある。
　２．周知の本体７０には蓋体７２が設けられているが、ロック構造がないため、容器内部の洗剤に他の液体が混入される恐れがある。このほか、蓋体７２が平らな板体とされ密着せず防水の設計もないため、洗剤ディスペンサーが水洗いされる時に汚水が内部に混入しやすく、汚染を形成する。
　３．特殊な洗剤或いは消毒剤の多くはアルコール或いは香油成分を有しているが、蓋体７２と本体７０が密接に結合されないため、一定の時間が経つとアルコール或いは香油成分が揮発してもとの殺菌力が減ったり香りが大量に失われる。
　４．周知の本体は、蓋体を開く時に、突出するフックにより位置決めする構造が設けられていないため、蓋体が重力や軽微な接触により自動的に閉じられてしまい、洗剤を補充する時に不便である。
【考案の開示】
【考案が解決しようとする課題】
【０００５】
　上述の周知の技術の問題を鑑み、本考案はそれを解決した一種の自動洗剤ディスペンサーのケースを提供するものである、本考案は、係合に便利で且つ良好な盗難防止機能を具えた自動洗剤ディスペンサーのケースであり、成功な嵌止構造、連接リングの係止、ロックヘッドの組合せにより、安全で防水の機能を具備するものとする。
【課題を解決するための手段】
【０００６】
　請求項１の考案は、ネジ孔を具えた固定座と、上蓋を具えたディスペンサー本体を具えた自動洗剤ディスペンサーのケースにおいて、
　該固定座の底部に係止片が設けられ、上方に凹部が設けられ、且つ凹部の上縁にストッパ板が設けられ、該凹部に係止孔が設けられ、
　該ディスペンサー本体は箱形体とされ、背部の適当な位置にＴ形柱が設けられ、背部の下方に係止溝が設けられ、
　該上蓋の後端に突出するリブが設けられて該リブが固定座の凹部に挿入されてストッパ板の内縁に当接可能で、該上蓋の周側にストッパ縁が設けられ、該ストッパ縁の前端位置にロック孔が設けられ、その間にロックヘッドが設けられたことを特徴とする、自動洗剤ディスペンサーのケースとしている。
　請求項２の考案は、請求項１記載の自動洗剤ディスペンサーのケースにおいて、ディスペンサー本体の上蓋の下縁にリブの係止に供される凸係止ブロックが設けられたことを特徴とする、自動洗剤ディスペンサーのケースとしている。
　請求項３の考案は、請求項１記載の自動洗剤ディスペンサーのケースにおいて、固定座の係止孔の上部に喇叭口が設けられたことを特徴とする、自動洗剤ディスペンサーのケースとしている。
　請求項４の考案は、請求項１記載の自動洗剤ディスペンサーのケースにおいて、固定座の係止片に弾性片状の係止突起が設けられたことを特徴とする、自動洗剤ディスペンサーのケースとしている。
　請求項５の考案は、請求項１記載の自動洗剤ディスペンサーのケースにおいて、固定座の中央に凹溝が設けられ、ネジ孔が該凹溝中に設けられたことを特徴とする、自動洗剤ディスペンサーのケースとしている。
　請求項６の考案は、請求項１記載の自動洗剤ディスペンサーのケースにおいて、ディスペンサー本体の内部の上方に嵌め部が設けられて、該嵌め部に内蓋が嵌め込まれたことを特徴とする、自動洗剤ディスペンサーのケースとしている。
【考案の効果】
【０００７】
　本考案は実施上、以下のような優れた点を有している。
　１．本考案のディスペンサー本体と上蓋間はロックヘッドでロックされ、上蓋と固定座間はリブで係止され、さらにディスペンサー本体と固定座の間にＴ形柱と係止片、係止溝の二種類の係合が形成され、このような相互係止の構造により極めて良好な盗難防止効果を有する。
　２．本考案の上蓋周側にはストッパ縁が設けられ、ディスペンサー本体上端周側を封鎖して水の進入を防止し、且つストッパ縁に設けられたロックヘッドにより、積水或いは汚水進入の問題を解決し、洗剤の汚染を防止できる。
　３．本考案のディスペンサー本体中には内蓋が設置され、アルコール或いは香油の揮発を防止でき、その使用効果を延長できる。
　４．本考案の上蓋末端のリブは、固定座をディスペンサー本体に緊密に係合させるだけでなく、上蓋開放時にリブが凸係止ブロックに係止されて上蓋を暫時固定するため、作業員の作業に便利である。
【考案を実施するための最良の形態】
【０００８】
　本考案はネジ孔を具えた固定座と、上蓋を具えたディスペンサー本体を具え、固定座の底部に係止片が設けられ、上方に凹部が設けられ、且つ凹部の上縁にストッパ板が設けられ、該凹部の適当な位置に係止孔が設けられ、ディスペンサー本体は箱形体とされ、背部の適当な位置にＴ形柱が設けられ、背部の下方に係止溝が設けられ、上蓋の後端に突出するリブが設けられて該リブが固定座の凹部に挿入されてストッパ板の内縁に当接可能で、上蓋の周側にストッパ縁が設けられ、該ストッパ縁の前端位置にロック孔が設けられ、その間にロックヘッドが設けられ、上蓋と固定座がロックされ、上蓋と固定座の間がリブで係止され、さらにディスペンサー本体と固定座の間にＴ形柱と係止片、係止溝の二種類の係合が形成され、相互の交差係止により、極めて良好な盗難防止効果を有する。
【実施例１】
【０００９】
　以下の実施例は本考案の実施範囲を限定するものではなく、本考案に基づきなしうる細部の修飾或いは改変は、いずれも本考案の請求範囲に属するものとする。
【００１０】
　図１、２、３に示されるように、本考案は、固定座１０と、上蓋３０を具えたディスペンサー本体２０を具えた自動洗剤ディスペンサーのケースにおいて、固定座１０がディスペンサー本体２０よりもやや大きく、その底部に係止片１６が設けられ、該係止片１６に弾性片状の係止突起１７が設けられている。固定座１０の上方には凹部１３が設けられ、且つ凹部１３の上縁にストッパ板１４が設けられ、該凹３の１３適当な位置に、上部に喇叭口１５０を具えた係止孔１５が設けられ、該固定座１０の中央に凹溝１１が設けられ、該凹溝１１内に複数のネジ孔１２が設けられている。
【００１１】
　該ディスペンサー本体２０は箱形体とされ、背部の適当な位置にＴ形柱２１が設けられ、上蓋３０の後端のやや下縁に凸係止ブロック２２が設けられ、背部の下方に係止溝２３が設けられ、ディスペンサー本体２０の内部のやや上方に内蓋４０の設置に供される嵌め部２４が設けられている。
【００１２】
　上蓋３０の後端に突出するリブ３１が設けられて該リブ３１の周側にストッパ縁３２が設けられ、該ストッパ縁３２の前端位置にロック孔３２０が設けられ、並びにその間にロックヘッド５０が設けられている。
【００１３】
　内蓋４０は、前端にストッパ片４１が設けられ、内蓋４０がディスペンサー本体２０内側の嵌め部２４に置かれる時、該ストッパ片４１が内蓋４０のロックヘッド５０の内側を封鎖し、残水がこの部分より流入するのを防止し、汚染或いは積水を形成させない。
【００１４】
　図２、３に示されるように、ディスペンサー本体２０を固定座１０に組み付ける前に、上蓋３０を先に開く必要があり、図３に示されるように、上蓋３０が起こされた時、その末端のリブ３１が凸係止ブロック２２の内側に嵌入する。図２、３、４も参照されたいが、固定座１０はネジでネジ孔１２を利用して壁面に固定され、該ディスペンサー本体２０はＴ形柱２１で係止孔１５の喇叭口１５０上方より下向きに係止され、同時に係止溝２３と係止片１６が係合されて組合せ動作を完成する。このとき、図４に示されるように、上蓋３０が閉じられ、この時、その末端のリブ３１が凹部１３より上向きにストッパ板１４の内縁に当接し、上蓋３０のストッパ縁３２がディスペンサー本体２０上部の周縁に係止され、並びに鍵５１でロックヘッド５０とディスペンサー本体２０をロックすれば、固定座１０とディスペンサー本体２０及び上蓋３０が相互に係合し、盗難防止の機能を達成する。
【００１５】
　もし本考案を分解したい時は、図５に示されるように、まず鍵５１でロックヘッド５０を開放し、上蓋３０を開き、さらにネジ回し６０で固定座１０の下方の弾性片状の係止突起１７を圧迫すれば、ディスペンサー本体２０が固定座１０の上方より抜き取り可能となり、使用上、十分に便利である。
【００１６】
　さらに図５に示されるように、上蓋３０をディスペンサー本体２０の上端より起こす時、図３に示されるように、上蓋３０の末端のリブ３１が凸係止ブロック２２とディスペンサー本体２０の間に嵌入して固定され、この作用により洗剤を補充する時に上蓋３０を固定でき、作業員の作業に便利である。
【図面の簡単な説明】
【００１７】
【図１】本考案の斜視図である。
【図２】本考案の分解斜視図である。
【図３】本考案の動作表示断面図である。
【図４】本考案の組立完成後の断面図である。
【図５】本考案の取り外し動作断面図である。
【図６】周知の構造の分解図である。
【符号の説明】
【００１８】
１０　固定座　　　　　　　　　１１　凹溝
１２　ネジ孔　　　　　　　　　１３　凹部
１４　ストッパ板　　　　　　　１５　係止孔
１５０　喇叭口　　　　　　　　１６　係止片
１７　係止突起　　　　　　　　２０　ディスペンサー本体
２１　Ｔ形柱　　　　　　　　　２２　凸係止ブロック
２３　係止溝　　　　　　　　　２４　嵌め部
３０　上蓋　　　　　　　　　　３１　リブ
３２　ストッパ縁　　　　　　　３２０　ロック孔
４０　内蓋　　　　　　　　　　４１　ストッパ片
５０　ロックヘッド　　　　　　５１　鍵
６０　ネジ回し　　　　　　　　７０　本体
７１　係止溝　　　　　　　　　７２　蓋体
８０　固定座　　　　　　　　　８１　係止板
８２　ロック孔
【図１】
0003100367.tif 000003
【図２】
0003100367.tif 000004
【図３】
0003100367.tif 000005
【図４】
0003100367.tif 000006
【図５】
0003100367.tif 000007
【図６】
0003100367.tif 000008